(57)【要約】  グリップが実質的に矩形の等断面を有する幅広部（８）を備え、前記幅広部は、ゴルファーが両手を水平にし、幅広部の前面（１４）に両親指をそろえてクラブを握ることができるよう十分な幅を有する前面（１４）、背面（１２）、両側面（１３ａ、１３ｂ）を備え、幅広部（８）の幅（Ｗ）と厚さ（Ｄ）比が１．３〜２．０：１の範囲であるゴルフクラブグリップ。また、グリップは上端に装着する取り外し可能なエンドキャップ（４）を有する。【選択図】図１
0003139308.tif 000002
【実用新案登録請求の範囲】
【請求項１】
グリップが実質的に矩形の等断面を有する幅広部を備え、前記幅広部は、ゴルファーが両手を水平にし、幅広部の前面に両親指をそろえてクラブを握ることができるよう十分な幅を有する前面、背面、両側面を備え、幅広部の幅/厚さ比が１．３〜２．０：１の範囲であるゴルフクラブグリップ。
【請求項２】
前面が凸状である請求項１に記載のゴルフクラブグリップ。
【請求項３】
グリップが実質的に矩形の等断面を有する幅広部を備え、前記幅広部は、ゴルファーが両手を水平にし、幅広部の前面に両親指をそろえてクラブを握ることができるよう十分な幅を有する前面、背面、両側面を備え、前面は凸状であり、背面と両側面は実質的に平らであるゴルフクラブグリップ。
【請求項４】
グリップの幅/厚さ比が１．３〜２．０：１の範囲である請求項３に記載のゴルフクラブグリップ。
【請求項５】
幅/厚さ比が１．４〜１．８：１、好ましくは１．４〜１．６：１の範囲であり、より好ましくは約１．５：１である請求項１から請求項４までのいずれかの請求項に記載のゴルフクラブグリップ。
【請求項６】
前面が曲率半径５０〜６５ｍｍの範囲の弓状である請求項１から請求項５までのいずれかの請求項に記載のゴルフクラブグリップ。
【請求項７】
前面及び背面と各側面の接合部が曲線である請求項１から請求項６までのいずれかの請求項に記載のゴルフクラブグリップ。
【請求項８】
グリップの幅広部の最大幅が３０〜６０ｍｍ、好ましくは４０〜５０ｍｍの範囲である請求項１から請求項７までのいずれかの請求項に記載のゴルフクラブグリップ。
【請求項９】
幅広部の長さが１５０〜３００ｍｍ、好ましくは１８０〜２５０ｍｍの範囲である請求項１から請求項８までのいずれかの請求項に記載のゴルフクラブグリップ。
【請求項１０】
グリップの下端が先細りである請求項１から請求項９までのいずれかの請求項に記載のゴルフクラブグリップ。
【請求項１１】
グリップの全長が２００〜４００ｍｍ、好ましくは２５０〜３００ｍｍの範囲である請求項１から請求項１０までのいずれかの請求項に記載のゴルフクラブグリップ。
【請求項１２】
細長い本体と、本体の上端に装着する取り外し可能なエンドキャップを有する請求項１から請求項１１までのいずれかの請求項に記載のゴルフクラブグリップ。
【請求項１３】
エンドキャップが本体に係合する位置決め機構を有する請求項１２に記載のゴルフクラブグリップ。
【請求項１４】
エンドキャップが本体の長穴に係合する突出部を有する請求項１３に記載のゴルフクラブグリップ。
【請求項１５】
細長い本体と、本体の上端に装着する取り外し可能なエンドキャップを有するゴルフクラブグリップ。
【請求項１６】
本体が上端に等断面部を有する請求項１５に記載のゴルフクラブグリップ。
【請求項１７】
エンドキャップが本体に係合する位置決め機構を有する請求項１５又は１６に記載のゴルフクラブグリップ。
【請求項１８】
エンドキャップが本体の長穴に係合する突出部を有する請求項１７に記載のゴルフクラブグリップ。
【請求項１９】
長穴は実質的にグリップの長さに沿って延設され、好ましくは少なくともグリップの２０％の長さである請求項１８に記載のゴルフクラブグリップ。
【請求項２０】
請求項１から請求項１９までのいずれかの請求項に記載のグリップを有するゴルフクラブ。
【請求項２１】
ゴルフクラブがパターである請求項２０に記載のゴルフクラブグリップ。
【請求項２２】
本体と、本体に装着する取り外し可能なエンドキャップとを有するゴルフクラブグリップの長さ調節方法であって、前記方法はエンドキャップの本体からの取り外し、本体の一部切り取り、切り取り後の本体への取り外し可能なエンドキャップの再装着を含むゴルフクラブグリップの長さ調節方法。
【請求項２３】
ゴルフクラブクリップは、本体に形成された長穴と、長穴に係合する機構を有する取り外し可能なエンドキャップを有する請求項２２に記載の方法。
【請求項２４】
請求項１から請求項２４までのいずれかの請求項に記載のグリップの請求項２２又は２３に記載の方法。
【考案の詳細な説明】
【技術分野】
【０００１】
本考案は、ゴルフクラブのグリップ、詳細にはパター（これに限定されない）のグリップに関する。また、本考案はグリップを有するゴルフクラブにも関する。
【背景技術】
【０００２】
最新のパターは、ゴム又はラテックス材製のグリップを装着し、概して長さ約１０インチ（２６０ｍｍ）であり、幅０．８インチ（２０ｍｍ）・厚さ１インチ（２５ｍｍ）の上端から先に行くほど細くなり、下端は幅０．６インチ（１５ｍｍ）・厚さ０．６インチ（１５ｍｍ）である。グリップはゴルフクラブのスチールシャフト上に装着できるよう空洞である。
【０００３】
パターは通常、片方の手をもう片方の手のやや上に、両親指をグリップの上部に、その他の指をその下に置いて握る。手は部分的に重なり合う場合もある。オーソドックスな握り方の場合、右利きのゴルファーは左手でグリップの上端部を、右手でその下を握る。あるいは、左右の手の位置がその逆の場合、逆の握り方となり得る。どちらの場合でも左右の手の高さは違うため、アドレス時のゴルファーの肩は水平ではない。これにより、ボールを意図した方向に打つことはより困難となる。
【考案の開示】
【考案が解決しようとする課題】
【０００４】
この問題を提起する米国特許4,067,573号のゴルフパターグリップは、両手を水平に置き、両親指をグリップの上方にそろえることができるよう設計されている。これにより、ゴルファーは肩を水平にしてアドレスすることが可能となり、結果的にはパットストロークの向上につながる。しかしながら、ゴルファーにとってこのグリップ形状は非常に特殊であり、好評ではないことが明らかになっている。丸型のクラブが、ゴルファーがショットの正確性を欠く湾曲した飛球線を描いてクラブをスイングする原因となりやすいことが明らかになっている。
【０００５】
また別の問題として、従来の大半のパターグリップはグリップの長さが調節不可能である。ゴルファーがクラブの長さを調節したい場合は、グリップを取り外し、シャフトを切削し、グリップを再装着する。
【課題を解決するための手段】
【０００６】
本考案の第１の態様によれば、ゴルフクラブグリップは実質的に矩形の等断面を有する幅広部を備え、前記幅広部は、ゴルファーが両手を水平にし、幅広部の前面に両親指をそろえてクラブを握ることができるよう十分な幅を有する前面、背面、両側面を備え、幅広部の幅/厚さ比が１．３ 〜２．０：１の範囲である。
【０００７】
幅/厚さ比は、幅広部の両側面間の最大幅と、前面と背面間の最大厚さの比である。本考案のグリップ形状はゴルファーにとって使い易いことが明らかとなっており、ゴルファーによってはより正面からゴルフクラブをスイングでき、結果的にはパットストロークの向上につながる。
【０００８】
好ましくは、前面は凸状、背面と側面は実質的に平らであり、両側面は背面と実質的に垂直に配置する。
【０００９】
本考案の第２の態様によれば、ゴルフクラブグリップは実質的に矩形の等断面を有する幅広部を備え、前記幅広部は、ゴルファーが両手を水平にし、幅広部の前面に両親指をそろえてクラブを握ることができるよう十分な幅を有する前面、背面、両側面を備え、前面は凸状、背面と側面は実質的に平らであり、両側面は背面と実質的に垂直に配置する。
【００１０】
好ましくはグリップの幅/厚さ比は１．３〜２．０：１の範囲である。
【００１１】
次に、考案の第１と第２の態様に係る考案の特徴を述べる。
【００１２】
好ましくは幅/厚さ比は１．４〜１．８：１、より好ましくは１．４〜１．６：１の範囲であり、更に好ましくは約１．５：１である。ゴルファーにとって幅/厚さ比が前述のうち、より狭い範囲であるグリップほど使い易いことが明らかになっている。
【００１３】
グリップの幅広部の最大幅は好ましくは３０〜６０ｍｍ、より好ましくは４０〜５０ｍｍの範囲である。幅広部は長さ１５０〜３００ｍｍの範囲であり得るが、好ましくは１８０〜２５０ｍｍの範囲である。グリップは全長２００〜４００ｍｍの範囲であり得るが、好ましくは２５０〜３００ｍｍの範囲である。
【００１４】
前面は曲率半径が５０〜６５ｍｍの範囲で弓状であり得る。この形状により両手はやや外転し、より自然で負担の少ないグリップとなるため、ゴルファーに更に快適なグリップを提供する。好ましくは、前面、背面と各側面の接合部は曲線である。曲線である縁部はゴルファーに更に快適なグリップを提供する。
【００１５】
好適には、グリップの下端は先細りであってもよい。
【００１６】
グリップは、細長い本体と、本体の上端に装着する取り外し可能なエンドキャップを有し得る。これにより、グリップはユーザーに適した長さに調節可能となる。長さ調節後、エンドキャップをグリップに再装着するため、グリップの美観は損なわれない。好ましくは、エンドキャップは本体に係合する位置決め機構を有する。実施例として、エンドキャップは本体の長穴に係合する突出部を有し得る。長穴は実質的にグリップの長さに沿って延設可能である。実施例として、実質的に幅広部の全長に沿って延設可能であり、好ましくは幅広部の２０〜９０％の長さに延設する。
【００１７】
本考案の第３の態様によれば、グリップは、細長い本体と、本体の上端に装着する取り外し可能なエンドキャップを有する。これにより、グリップはユーザーに適した長さに調節可能となる。長さ調節後、エンドキャップをグリップに再装着するため、グリップの美観は損なわれない。
【００１８】
好ましくは、本体は上端に等断面部を有する。
【００１９】
利点として、エンドキャップは本体に係合する位置決め機構を有する。実施例として、エンドキャップは本体の長穴に係合する突出部を有する。好ましくは長穴は実質的にグリップの長さに沿って延設され、より好ましくは少なくともグリップの２０％の長さに延設される。実施例として、長穴はグリップの２５〜９０％の長さに延設可能であり、好ましくはグリップの３０から８０％の長さに延設する。
【００２０】
上述のグリップはいかなる種類のゴルフクラブにも適合し、ゴルフパターに最も適合する。
【００２１】
本考案の第４の態様によれば、細長い本体と、本体の上端に装着する取り外し可能なエンドキャップを有するゴルフクラブグリップの長さ調節方法を提供し、前記方法はエンドキャップの本体からの取り外し、本体の一部切り取り、残りの本体へのエンドキャップの再装着を含む。これは、シャフトを切削してゴルフクラブの長さを短くする方法に比べ、より満足度の高い方法である。
【００２２】
エンドキャップは本体の上端に装着し、グリップの上端の一部を切り取ることにより長さを調節する。エンドキャップは本体の上端に再度装着する。
【００２３】
この方法は、本体に形成された長穴と、長穴に係合する機構を有する取り外し可能なエンドキャップを備える本体の使用を含み得る。
【００２４】
この方法は、上述のいかなる形状のグリップに適合し得る。
【考案を実施するための最良の形態】
【００２５】
以下、本考案の実施例について添付図面を参照しながら説明する。
【００２６】
グリップは、適合エラストマー材、あるいはゴム、ラテックス、樹脂等の弾力材製で、ゴルフクラブシャフト（図示せず）と、本体２の上端６に接着剤等により実質的に装着したエンドキャップ４を備える細長い本体２を有する。実施例では、グリップは全長２８２ｍｍ、本体２は長さ２７０ｍｍ、エンドキャップ４は厚さ１２ｍｍである。
【００２７】
本体２は、長さ１９５ｍｍの本体の上端６から伸長し、等断面を有する上部８と、直径約１５ｍｍの下端１１で先細りとなる下部１０を有する。上部８の断面は、幅４２ｍｍ、厚さ２８ｍｍのほぼ矩形である。すなわち、断面の幅「Ｗ」と厚さ「Ｄ」の比（Ｗ：Ｄ）は、約３：２（図２参照）である。幅/厚さ比は、上部８の最大幅と最大厚さの比である。
【００２８】
前面１４はやや凸状であり、背面１２は平らである。前面の曲率半径は５７ｍｍであり、中心角３４度まで伸長する。グリップは、両手を水平にし、グリップの前面１４で両親指をそろえて握る。やや凸状である前面１４により両手はやや外転し、より自然なグリップが可能となる。あるいは前面１４は平らであってもよいが、平らである前面１４により両手が内転し、両親指と両手首にやや負担をかけ、従ってグリップは快適さを欠く。背面１２が平らであるのは、グリップを握る時、両手を外転させないためである。さらに、平らである背面１２を有する利点として、ユーザーはクラブフェイスがグリップの前面１４に実質的に垂直になるようにゴルフクラブにグリップを装着できる。これはグリップをシャフトに装着する時、ユーザーがグリップの背面１２を見ながら、グリップとクラブフェイスの位置が適切に合うようにグリップを回転させることで完成する。仮にグリップがクラブフェイスに対しほんの数度回転する状態でグリップをシャフトに装着した場合、ゴルファーが正面からボールを打つことは困難である。これは、ミディアム及びロングショットにおいて著しい違いを生じる。
【００２９】
側面１３ａ及び１３ｂは平らであり、実質的に背面１２に垂直である。前面１４、背面１２、側面１３ａ及び１３ｂの各接合部である４つの縁部は曲線である。
【００３０】
直径１４．５ｍｍの円筒形の穴１６は、ゴルフクラブシャフトを挿入できるよう本体２の中に延設される。また、各直径各５ｍｍの２つの並列した小さい補助穴１８は本体２の上端から深さ１３０ｍｍまで延設され、補助穴は主穴１６の両側に設ける。
【００３１】
エンドキャップ４は、本体２の上端と類似の断面形状であり、本体２の補助穴１８に係合する位置にある２つの円筒形の突出部２２を下面２０に有する。
【００３２】
グリップの長さは、本体２の上端の一部を切り取り、上端にエンドキャップを装着し、その箇所を接着することにより調節可能である。補助穴１８は本体２のかなりの深さまで延設するため、グリップの大部分を切り取った場合でも、エンドキャップ４は補助穴１８に突出部２２を係合することで正しい位置決めが可能である。必要ならば、補助穴１８は実質的に幅広部の全長、もしくはその任意の位置まで延設可能である。
【００３３】
大半のグリップは先細りであるため、ゴルファーがグリップの下端を切り取って長さを調節する場合、シャフトにグリップを装着する位置に大きな段差が生じる可能性がある。上述したように本考案は、単にグリップの下端を切り取る、もしくはシャフトを切削してクラブの長さを短くするのに比べ、より満足度の高いグリップの長さ調節方法を提供する。
【００３４】
グリップは、両手を水平にし、グリップの前面１４で両親指をそろえ、その他の指で背面１２を握り、指先をその上に置く。これにより、ゴルファーは肩が完全に水平で、腰と足に直角である姿勢を身に付けることが可能となり、滑らかで正確なストロークを助長する。その上、このグリップ形状はゴルファーがより正面からクラブをスイングするのに役立つ事が明らかになっている。従って、より正確にボールを打つ可能性が高まる。丸型グリップの場合は、ゴルファーは浅い弧を描いてパターをスイングする傾向がある。
【００３５】
もちろん、本考案の範囲内でグリップは種々に変更可能である。実施例として、グリップは幅３０〜６０ｍｍであり得るが、好ましくは４０〜５０ｍｍである。幅/厚さ比は好ましくは１．３〜２．０：１の範囲である。実施例として、幅/厚さ比は１．４〜１．８：１の範囲であり得るが、好ましくは１．４〜１．６：１である。ゴルファーにとって幅/厚さ比が１．４〜１．６：１の範囲であるグリップがより快適であるということが明らかになっている。グリップの全長は２００〜４００ｍｍの範囲であり得るが、好ましくは２５０〜３００ｍｍの範囲である。等断面を有するグリップの上部の長さは１５０〜３００ｍｍの範囲であり得るが、好ましくは１８０〜２５０ｍｍの範囲である。
【００３６】
取り外し可能なエンドキャップが突出部２２を有さない場合もあり、本体２が補助穴１８を有さない場合もある。グリップの長さ調節時は、最初にエンドキャップを取り外し、グリップを切り取り、エンドキャップを残りのグリップに再装着する。
【図面の簡単な説明】
【００３７】
【図１】図１はゴルフクラブグリップの等角図である。
【図２】図２はグリップ下端の端面図である。
【図３】図３はグリップの側面図である。
【図４】図４はグリップ上端の端面図である。
【図５】図５はグリップの前面図である。
【図６】図６はグリップ本体の内部構造を示す前面図である。
【図７】図７は部材の内部構造を示す側面図である。
【図８】図８は部材上端の端面図である。
【図９】図９はエンドキャップの等角図である。
【図１】
0003139308.tif 000003
【図２】
0003139308.tif 000004
【図３】
0003139308.tif 000005
【図４】
0003139308.tif 000006
【図５】
0003139308.tif 000007
【図６】
0003139308.tif 000008
【図７】
0003139308.tif 000009
【図８】
0003139308.tif 000010
【図９】
0003139308.tif 000011
【手続補正書】
【提出日】平成19年11月26日(2007.11.26)
【手続補正１】
【補正対象書類名】実用新案登録請求の範囲
【補正対象項目名】全文
【補正方法】変更
【補正の内容】
【実用新案登録請求の範囲】
【請求項１】
グリップが実質的に矩形の等断面を有する幅広部を備え、前記幅広部は、ゴルファーが両手を水平にし、幅広部の前面に両親指をそろえてクラブを握ることができるよう十分な幅を有する前面、背面、両側面を備え、幅広部の幅/厚さ比が１．３〜２．０：１の範囲であるゴルフクラブグリップ。
【請求項２】
前面が凸状である請求項１に記載のゴルフクラブグリップ。
【請求項３】
幅/厚さ比が１．４〜１．８：１、好ましくは１．４〜１．６：１の範囲であり、より好ましくは約１．５：１である請求項１または請求項２に記載のゴルフクラブグリップ。
【請求項４】
前面が曲率半径５０〜６５ｍｍの範囲の弓状である請求項１から請求項３までのいずれかの請求項に記載のゴルフクラブグリップ。
【請求項５】
前面及び背面と各側面の接合部が曲線である請求項１から請求項４までのいずれかの請求項に記載のゴルフクラブグリップ。
【請求項６】
グリップの幅広部の最大幅が３０〜６０ｍｍ、好ましくは４０〜５０ｍｍの範囲である請求項１から請求項５までのいずれかの請求項に記載のゴルフクラブグリップ。
【請求項７】
幅広部の長さが１５０〜３００ｍｍ、好ましくは１８０〜２５０ｍｍの範囲である請求項１から請求項６までのいずれかの請求項に記載のゴルフクラブグリップ。
【請求項８】
グリップの下端が先細りである請求項１から請求項７までのいずれかの請求項に記載のゴルフクラブグリップ。
【請求項９】
グリップの全長が２００〜４００ｍｍ、好ましくは２５０〜３００ｍｍの範囲である請求項１から請求項８までのいずれかの請求項に記載のゴルフクラブグリップ。
【請求項１０】
細長い本体と、本体の上端に装着する取り外し可能なエンドキャップを有する請求項１から請求項９までのいずれかの請求項に記載のゴルフクラブグリップ。
【請求項１１】
エンドキャップが本体に係合する位置決め機構を有する請求項１０に記載のゴルフクラブグリップ。
【請求項１２】
エンドキャップが本体の長穴に係合する突出部を有する請求項１１に記載のゴルフクラブグリップ。